(57)【要約】【課題】被服類のインターネットや通信販売雑誌などを用いた購買形態の普及に伴い、現実の被服を着ることなく、該被服の購入を希望する人が増加している。そのため、あたかも現実の被服を装着したと同様にその適合性を確認する機能を情報通信端末上で実現することが必要となっていた。【解決手段】本発明に係る画像表示装置によれば、顔貌画像（１）と被服のデザイン画像の基本画像（２）を取込み、顔貌画像（１）と該被服基本デザイン画像（２）との合成画像（４）を画像表示装置（３）で表示させることで、現実の被服を着ることなく、該被服の購入を希望する人があたかも現実の被服を装着したと同様にその適合性を確認することができるために、容易にその適合性を見ることができ、又、該被服の販売者も実際の被服と試着のための空間及び要員を配備する必要がないため、各種の費用の増加を極力軽減することが可能となる。【選択図】図１
2014093066.tif 000002
【特許請求の範囲】
【請求項１】
被服基本デザインの記憶画像（２）と人の顔画像の撮影機能を有した情報処理装置において、該撮影された顔貌画像（１）を該被服基本デザイン画像（２）とを合成した画像を表示装置（３）に表示する機能を有することを特徴とする画像表示装置。
【請求項２】
該被服基本デザイン画像（２）の肩幅寸法（５）に合わせて該撮影された顔貌画像（１ａ）の寸法を拡大あるいは縮小させ、該縮尺変更した顔貌画像（１）と被服基本デザイン画像（２）とを合成して表示装置（３）に表示する機能を有する請求項１に記載の画像表示装置。
【請求項３】
該被服基本デザイン画像（２ａ）を複数個保有し、該顔貌画像の撮影者は該被服基本デザイン画像の中から１つを選び、該選ばれた被服基本デザイン画像（２）と該撮影された顔貌画像寸法を拡大あるいは縮小させ、該縮尺変更した顔貌画像（１）とを合成して表示装置（３）に表示する機能を有する請求項１又は２に記載の画像表示装置。
【請求項４】
該被服基本デザイン画像（２）をあらかじめ用意することなく、必要に応じて通信機能を用いて他の記憶媒体から入力する請求項１、２又は３に記載の画像表示装置。
【請求項５】
該被服基本デザイン画像（２）が洋服デザイン（２ｃ）である請求項１、２又は３に記載の画像表示装置。
【請求項６】
該被服基本デザイン画像（２）が和服デザイン（２ｄ）である請求項１、２又は３に記載の画像表示装置。
【請求項７】
該被服基本デザイン画像（２）が運動着デザイン（２ｅ）である請求項１、２又は３に記載の画像表示装置。
【請求項８】
該画像表示装置（３）がコンピュータの情報処理機能（６）と表示ディスプレイから成る請求項１、２又は３に記載の画像表示装置。
【請求項９】
該画像表示装置が情報処理機能と画像表示ディスプレイ（８）を有する携帯電話型機器（７）である請求項１、２又は３に記載の画像表示装置。
【請求項１０】
該画像表示装置が情報処理機能と画像表示ディスプレイ（８ａ）を有する専用の画像表示装置（９）である請求項１、２又は３に記載の画像表示装置。
【発明の詳細な説明】
【技術分野】
【０００１】本発明は、被服を購入する際に行う試着をせずに、該被服が購入希望者の希望のスタイルにフィットしているかを判断するために、該購入希望者の顔画像と該被服の画像デザイン画像とを合成させ、表示装置に表示させる装置に関するものである。
【背景技術】
【０００２】被服の購入希望者は希望の被服が該購入希望者のスタイルにフィットしているかを判断するために、通常は店舗において試着を行って見るのが一般的であった。しかし、インターネットや通信販売の拡大で該購入希望者は店舗に赴かずに該購入希望者のスタイルにフィットしているかを判断しなければならない場合が多く、該購入希望者が購入を行った後の不具合が多く生じていた。そのため、購入する前にスタイルのフィットを確認する必要があった。【０００３】  従来、プリントクラブのように固定の被服画板と人の顔写真を合成させるもの（例えば、特開２０００１−３５２５０５号公報）がある。また、人体の立体画像を表示させるもの（例えば、特開２００１−３１２７７４３号公報）がある。
【先行技術文献】
【特許文献】
【０００４】
【特許文献１】特開２００１−３５２５０５
【特許文献２】特開２００１−３１２７４３
【発明の概要】
【発明が解決しようとする課題】
【０００５】特許文献１は固定の画板画像と撮影した顔画像を組合せて表示されるだけのもので、特許文献２は固定の画像情報をそのデータに従って表示させるだけのものであり、顔画像のサイズに合わせて被服画像を拡大あるいは縮小するものとはなっていない。【０００６】本発明は、この課題を実現するために、情報処理機能を有する画像表示装置により、現実の被服を着ることなく、該被服の購入を希望する人があたかも現実の被服を装着したと同様の画像を表示することができる表示装置を提供することにある。
【課題を解決するための手段】
【０００７】（請求項１）本発明に係る画像表示装置は被服基本デザインの記憶画像と人の顔画像の撮影機能と該撮影された顔貌画像と該被服基本デザイン画像とを合成した画像を表示する装置を包含している。【０００８】（請求項２）該撮影された顔貌画像と該被服基本デザイン画像とは基本的に大きさが合わない場合が多い。その場合に該被服基本デザイン画像の肩幅寸法に合わせて該撮影された顔貌画像の寸法を拡大あるいは縮小させることで、該縮尺変更した顔貌画像と被服基本デザイン画像とのサイズを一致させ、その上で該寸法を拡大あるいは縮小させた顔貌画像と該被服基本デザイン画像を合成することで、あたかも該贋造画像に撮影された人が該被服を纏っている如く表示させることが可能となる。【０００９】（請求項３）あたかも該贋造画像に撮影された人が被服を纏っている如く表示させるための該被服基本デザイン画像は１着とは限らないため、該被服基本デザイン画像を複数枚用意し、その中から１つを選びようにすることで、何着もの該被服を交互に纏っている如く表示させることが可能となり、該撮影された人に適合する被服を選択することが可能となる。【００１０】（請求項４）複数枚用意する該被服基本デザイン画像は該画像表示装置にあらかじめ用意するのではなく、例えば他の画像記録媒体やインターネットなどの通信機能を用いていて他の記憶媒体から入力するようにしてもよい。【００１１】（請求項５）該被服基本デザイン画像は洋服デザインであってもよい。こうすることで、洋服に関して、あたかも該贋造画像に撮影された人が洋服を纏っている如く表示させることが可能となる。【００１２】（請求項６）該被服基本デザイン画像は和服デザインであってもよい。こうすることで、和服に関して、あたかも該贋造画像に撮影された人が和服を纏っている如く表示させることが可能となる。【００１３】（請求項７）該被服基本デザイン画像は運動着デザインであってもよい。こうすることで、運動着に関して、あたかも該贋造画像に撮影された人が運動着を纏っている如く表示させることが可能となる。【００１４】（請求項８）対象となる画像表示装置は、例えばコンピュータの情報処理機能と表示ディスプレイとで構成してもよい。こうすることで、一般的なパーソナルコンピュータで画像表示装置が構成できる。【００１５】（請求項９）対象となる画像表示装置は、例えば情報処理機能と画像表示ディスプレイを有する携帯電話型機器であってもよい。こうすることで、一般的に普及している画像表示ディスプレイ付の携帯電話機を画像表示装置とすることができる。【００１６】（請求項１０）対象となる画像表示装置は特別に設計された情報処理機能と画像表示ディスプレイを有する専用の画像表示装置であってもよい。こうすることで、被服を販売する店頭に設置し、被服の購入希望者に対して該画像表示装置を用いた被服フィッティングが可能となる。
【発明の効果】
【００１７】（請求項１）本発明に係る画像表示装置によれば、現実の被服を着ることなく、該被服の購入を希望する人があたかも現実の被服を装着したと同様にその適合性を確認することができるため、容易にその適合性を見ることができ、又、該被服の販売者も実際の被服と試着のための空間及び要員を配備する必要がないため、各種の費用の増加を極力軽減することが可能となる。【００１８】請求項２によれば、該撮影された顔貌画像と該被服基本デザイン画像とで大きさが合わなかった場合には、該被服基本デザイン画像の肩幅寸法に合わせて該撮影された顔貌画像の寸法を拡大あるいは縮小させることで、該縮尺変更した顔貌画像と被服基本デザイン画像とのサイズを一致させることができるので、あたかも該顔貌画像に撮影された人が該被服を纏っている如く表示させることが可能となる。【００１９】請求項３によれば、あたかも該贋造画像に撮影された人が被服を纏っている如く表示させるための該被服基本デザイン画像を複数枚から選択したい場合には、あらかじめ該被服基本デザイン画像を複数枚用意し、その中から１つを選びようにすることで、何着もの該被服を交互に纏っている如く表示させることが可能となる。【００２０】請求項４によれば、あたかも該贋造画像に撮影された人が被服を纏っている如く表示させるための該被服基本デザイン画像を複数枚から選択したい場合に、複数枚用意する該被服基本デザイン画像は該画像表示装置にあらかじめ用意するのではなく、例えば他の画像記録媒体やインターネットなどの通信機能を用いていて他の記憶媒体から入力するようにすることができる。このようにすることで、現在手元に無い被服を何着も交互に纏っている如く表示させることが可能となる。【００２１】請求項５によれば、該被服基本デザイン画像は洋服デザインであってよい。こうすることで、洋服に関して、あたかも該贋造画像に撮影された人が洋服を纏っているが如く表示させることが可能となる。【００２２】請求項６によれば、該被服基本デザイン画像は和服デザインであってよい。こうすることで、和服に関して、あたかも該贋造画像に撮影された人が和服を纏っているが如く表示させることが可能となる。【００２３】請求項７によれば、該被服基本デザイン画像は運動着デザインであってよい。こうすることで、運動着に関して、あたかも該贋造画像に撮影された人が運動着を纏っているが如く表示させることが可能となる。【００２４】請求項８によれば、対象となる画像表示装置は、コンピュータの情報処理機能と表示ディスプレイとを備えた一般的なパーソナルコンピュータを用いることが可能となり、一般的な利用を行うことが可能となる。【００２５】請求項９によれば、対象となる画像表示装置は、情報処理機能と画像表示ディスプレイ及び撮影機能を有する携帯電話型機器を用いることが可能となり、一般的に普及している画像表示ディスプレイ付の携帯電話機を画像表示装置とすることが可能となる。【００２６】請求項１０によれば、対象となる画像表示装置は特別に設計された情報処理機能と画像表示ディスプレイを有する専用の画像表示装置を用いることができ、被服を販売する店頭に設置するなどして、被服の購入希望者に対して該画像表示装置を用いた被服フィッティングが可能となる。
【図面の簡単な説明】
【００２７】
【図１】顔貌画像と被服基本デザイン画像との合成画像表示装置の概念図である。
【図２】顔貌画像のサイズを被服基本デザイン画像の寸法に合わせた合成画像の表示装置の説明図である。
【図３】選別した被服基本デザイン画像と顔貌画像との合成画像表示装置の説明図である。
【図４】ネットワーク上から選別した被服基本デザイン画像と顔貌画像の合成画像表示装置の説明図である。
【図５】種類別の被服基本デザイン画像から選別した画像と顔貌画像との合成画像表示装置の概念図である。
【図６】コンピュータを用いた合成画像表示装置の概念図である。
【図７】携帯電話を用いた合成画像表示装置の概念図である。
【図８】専用装置を用いた合成画像表示装置の概念図である。
【図９】顔貌画像と被服基本デザイン画像との合成画像表示の流れ図である。
【発明を実施するための形態】
【００２８】以下に、この発明の実施の形態を、図面を参照して、説明する。
（請求項１）図１で、本発明に係る画像表示装置は、顔貌画像１と被服のデザイン画像の基本画像２を取込み、顔貌画像１と該被服基本デザイン画像２との合成画像４を表示する画像表示装置３から成っている。
【００２９】（請求項２）図２で、顔貌画像１ａが被服基本デザイン画像２の寸法と合わない場合には、該被服基本デザイン画像２の肩幅寸法５に合わせて該顔貌画像１ａの寸法を拡大あるいは縮小させ、該顔貌画像１ａと該被服基本デザイン画像２との合成画像４を画像表示装置３で表示させる。これによって、縮尺変更した顔貌画像１ａと被服基本デザイン画像２とのサイズを一致させることができるので、あたかも顔貌画像１ａに撮影された人が被服基本デザイン画像２を纏っている如く表示させることが可能となる。
【００３０】（請求項３）図３で、あたかも該贋造画像に撮影された人が被服を纏っている如く表示させるための該被服基本デザイン画像２をあらかじめ用意した複数の被服基本デザイン画像２ａから１つを選びようにすることで、何着もの該被服を交互に纏っている如く画像表示装置３に表示させることが可能となる。
【００３１】（請求項４）図４で、あたかも該贋造画像に撮影された人が被服を纏っている如く表示させるための被服基本デザイン画像２を複数枚から選択したい場合に、複数枚用意する該被服基本デザイン画像は該画像表示装置にあらかじめ用意するのではなく、例えば他の画像記録媒体やインターネットなどの通信機能を用いていて他の記憶媒体から入力するようにすることができる。このようにすることで、現在手元に無い被服を何着も交互に纏っている如く画像表示装置３に表示させることが可能となる。
【００３２】（請求項５）図５で、該被服基本デザイン画像は被服基本デザイン画像（洋服）２ｃであってよい。こうすることで、洋服に関して、あたかも該贋造画像に撮影された人が洋服を纏っているが如く画像表示装置３に表示させることが可能となる。
【００３３】（請求項６）図５で、該被服基本デザイン画像は被服基本デザイン画像（和服）２ｄであってよい。こうすることで、和服に関して、あたかも該贋造画像に撮影された人が和服を纏っているが如く画像表示装置３に表示させることが可能となる。
【００３４】（請求項７）図５で、該被服基本デザイン画像は被服基本デザイン画像（運動具）２ｅであってよい。こうすることで、運動着に関して、あたかも該贋造画像に撮影された人が運動着を纏っているが如く画像表示装置３に表示させることが可能となる。
【００３５】（請求項８）図６で、対象となる画像表示装置は、情報処理機能と画像表示装置３とを備えた一般的なパーソナルコンピュータ６を用いることが可能となり、一般的な利用を行うことが可能となる。
【００３６】（請求項９）図７で、対象となる画像表示装置は、情報処理機能と画像表示部８及び撮影機能を有する携帯電話型機器７を用いることが可能となり、一般的に普及している画像表示ディスプレイ付の携帯電話機を画像表示装置とすることが可能となる。
【００３７】（請求項１０）図８で、対象となる画像表示装置は特別に設計された専用情報処理装置９と画像表示部８ａを有する専用の画像表示装置を用いても良い。こうすることで、被服を販売する店頭に設置するなどして、被服の購入希望者に対して該画像表示装置を用いた被服フィッティングが可能となる。
【実施例】
【００３８】  図９は本発明に係る画像表示装置の動作手順を示したものである。【００３９】被服の購入を希望する人はその対象の顔貌１１を画像表示装置３に備えられた顔貌画像撮影装置１０により撮影され、画像表示装置３の情報処理部に取り込まれる。取り込まれた顔貌画像１は、あらかじめ用意された被服基本デザイン画像２と合成され、合成画像４として画像表示装置３の表示部に表示される。これにより、被服の購入を希望する人は、現実の被服を着ることなく、があたかも現実の被服を装着したと同様の画像を表示することが可能となる。
【符号の説明】
【００４０】１    顔貌画像
１ａ  顔貌画像
２    被服基本デザイン画像
２ａ  複数の被服基本デザイン画像
２ｂ  ＷＥＢ上に存在する被服基本画像
２ｃ  被服基本デザイン画像（洋服）
２ｄ  被服基本デザイン画像（和服）
２ｅ  被服基本デザイン画像（運動着）
３    画像表示装置
４    合成画像
５    肩幅寸法
６    コンピュータ（情報処理装置）
７    携帯電話
８    画像表示部
８ａ  画像表示部
９    専用情報処理装置
１０  顔貌画像撮影装置
１１  対象の顔貌
【図１】
2014093066.tif 000003
【図２】
2014093066.tif 000004
【図３】
2014093066.tif 000005
【図４】
2014093066.tif 000006
【図５】
2014093066.tif 000007
【図６】
2014093066.tif 000008
【図７】
2014093066.tif 000009
【図８】
2014093066.tif 000010
【図９】
2014093066.tif 000011